(57)【要約】【課題】常用ブレーキ機能の信頼性を可能な限り高く保持し、特に電子又は電気回路システムのエラー又は故障について最大限可能な冗長性を得る。【解決手段】本発明は、ポンプ６及びポンプ６を駆動するモータ７を有する空気モータポンプ組体３を具備し、モータポンプ組体３は、駆動ユニットの空気ブレーキブースター１内の圧力レベルあるいは圧力差に応じて電子制御ユニット１０，１２によって制御され、ブレーキブースター１のチャンバ内の圧力レベルあるいは２つのチャンバ間の圧力差がセンサ９によって検知される、車両ブレーキシステム、特に「ブレーキバイワイヤ」タイプの車両ブレーキシステムの駆動ユニットに圧力を供給するための装置に関する。  本発明により、モータポンプ組体３を制御するために用いられる制御ユニット１０，１２は論理モジュールと電力モジュールとを有し、論理モジュールと電力モジュールとは互いに独立して配置されている、ことが開示される。【選択図】図１
2008509035.tif 000002
【特許請求の範囲】
【請求項１】
ポンプ（６）及びポンプ（６）を駆動するモータ（７）を有する空気モータポンプ組体（３）を具備し、モータポンプ組体（３）は、駆動ユニットの空気ブレーキブースター（１）内の圧力レベルあるいは圧力差に応じて電子制御ユニット（１０，１１，１２）によって駆動され、ブレーキブースター（１）のチャンバ内の圧力レベルあるいは２つのチャンバ間の圧力差がセンサ（９）によって検知される、車両ブレーキシステム、特に「ブレーキバイワイヤ」タイプの車両ブレーキシステムの駆動ユニットに圧力を供給するための装置において、モータポンプ組体（３）を制御するための制御ユニット（１０，１１，１２）は論理モジュールと電力モジュールとを有し、論理モジュールと電力モジュールとは互いに独立して配置されている、ことを特徴とする装置。
【請求項２】
論理モジュールと電力モジュールとは、互いに別々に、車両の電気回路システムに接続されている、ことを特徴とする請求項１に記載の装置。
【請求項３】
制御ユニット（１０）はモータポンプ組体（３）及びブレーキシステムを駆動するために設けられており、論理モジュールは制御ユニット（１０）に配置されており、電力モジュールは制御ユニット（１０）の外部に設けられている、ことを特徴とする請求項１又は２に記載の装置。
【請求項４】
制御ユニット（１１）は車両のモータの駆動のために設けられており、論理モジュールは制御ユニット（１１）に配置されており、電力モジュールは制御ユニット（１１）の外部に設けられている、ことを特徴とする請求項１又は２に記載の装置。
【請求項５】
電力モジュールはモータポンプ組体（３）に配置されている、ことを特徴とする請求項３又は４に記載の装置。
【請求項６】
電力モジュールは車両の別の制御ユニットに配置されている、ことを特徴とする請求項３又は４に記載の装置。
【請求項７】
リレーが、電力モジュールとして与えられ、車両のリレーボックス内に収容されている、ことを特徴とする請求項３又は４に記載の装置。
【請求項８】
半導体素子、好ましくはＦＥＴが、電力モジュールとして設けられ、車両のリレーボックス内に配置されている、ことを特徴とする請求項３又は４に記載の装置。
【請求項９】
請求項１乃至８のいずれか１項に記載の装置を制御するための方法において、モータポンプ組体（３）は制御ユニット（１０，１２）の故障時に作動される、ことを特徴とする方法。
【請求項１０】
モータポンプ組体（３）は、制御ユニット（１０，１２）が故障した場合に、常閉スイッチによって駆動される、ことを特徴とする請求項９に記載の方法。
【請求項１１】
モータポンプ組体（３）は、制御ユニット（１０，１２）の故障時、ブレーキペダルの移動を検知するためのセンサの作動によって作動可能となり、センサの非作動時には作動不能となり、センサは車両の駆動ユニットの制御装置に接続されている、ことを特徴とする請求項９に記載の方法。
【請求項１２】
モータポンプ組体（３）は、制御ユニット（１０，１２）の故障時、クロック制御方式により作動される、ことを特徴とする請求項９乃至１１のいずれか１項に記載の方法。
【請求項１３】
モータポンプ組体（３）は、ブレーキペダルの移動の検知のためのセンサの作動後、規定の時間だけ作動状態に保持される、ことを特徴とする請求項９乃至１２のいずれか１項に記載の方法。
【請求項１４】
車両が内燃機関と電気モータとを備えるハイブリッド車両である、請求項１乃至８のいずれか１項に記載の装置を制御するための方法において、信号が制御ユニット（１０，１２）のエラーの発生時にモータ制御ユニット（１１）に送信され、モータ制御ユニット（１１）はモータポンプ組体（３）を駆動し、内燃機関は所定の作動状態をなし、この作動状態では、内燃機関のみにより駆動ユニットへの圧力の供給がなされる、ことを特徴とする方法。
【請求項１５】
車両ブレーキシステムが最適化液圧ブレーキシステム（ＯＨＢ）を有し、最適化液圧ブレーキシステムは、ブレーキブースター（１）の複数のチャンバ間の圧力差に応じた追加のブレーキ昇圧機能を備える液圧増大ユニットを有し、圧力差は真空センサによって検知される、請求項１に記載の装置を制御するための方法において、モータポンプ組体（３）は独立したポンプ制御ユニット（１２）と独立したセンサ（９）とによって駆動され、独立したセンサ（９）は、真空センサに加えて、ブレーキブースター（１）の圧力レベルを検知し、モータポンプ組体（３）は独立したラインによって車両の電気回路システムに接続されている、ことを特徴とする方法。
【請求項１６】
車両ブレーキシステムが最適化液圧ブレーキシステム（ＯＨＢ）を有し、最適化液圧ブレーキシステムは、ブレーキブースター（１）の複数のチャンバ間の圧力差に応じた追加のブレーキ昇圧機能を備える液圧増加ユニットを有し、圧力差は真空センサによって検知される、請求項１に記載の装置を制御するための方法において、モータポンプ組体（３）は、独立したポンプ制御ユニット（１２）と真空センサとによって駆動され、モータポンプ組体（３）は、独立したラインによって車両の電気回路システムに接続されている、ことを特徴とする方法。
【請求項１７】
モータポンプ組体（３）は、リレーあるいはＦＥＴとして与えられている独立した電流供給装置を有する電力モジュールによって駆動され、ＯＨＢシステムの真空センサの複数の信号が、ポンプ制御ユニット（１２）及び／あるいはブレーキ制御ユニット（１０）によって読み出される、ことを特徴とする請求項１６に記載の方法。
【請求項１８】
モータポンプ組体（３）はブレーキ制御ユニット（１０）の故障時に完全に駆動される、ことを特徴とする請求項１７に記載の方法。
【請求項１９】
ポンプ制御ユニット（１２）は、バス接続によって車両の追加の制御ユニットに接続されている、ことを特徴とする請求項９乃至１８のいずれか１項に記載の方法。
【発明の詳細な説明】
【技術分野】
【０００１】
本発明は、ポンプ及びポンプを駆動するモータを有する空気モータポンプ組体を具備し、モータポンプ組体は、駆動ユニットの空気ブレーキブースター内の圧力レベルあるいは圧力差に応じて電子制御ユニットによって駆動され、ブレーキブースターのチャンバ内の圧力レベルあるいは２つのチャンバ間の圧力差がセンサによって検知される、車両ブレーキシステム、特に「ブレーキバイワイヤ（ｂｒｅａｋ  ｂｙ  ｗｉｒｅ）」タイプの車両ブレーキシステムの駆動ユニットに圧力を供給するための装置に関する。
【背景技術】
【０００２】
このタイプの装置及び車両において圧力を供給するための方法が、例えば、独国特許出願公開第１９９２９８８０Ａ１号明細書に開示されており、モータポンプ組体が、駆動ユニットの作動状態に応じて追加で駆動される真空ポンプを有する。
【０００３】
「ブレーキバイワイヤ」タイプの車両ブレーキシステムは、ドライバーの要求に応じて、部分的にはブレーキペダルによって、さらに、電気制御ユニット（ＥＣＵ）によって、即ち、ドライバーに関係なく、作動可能である（機械的フォールバックモード）。昇圧による機械的フォールバックモードを備えないシステムでは、常用ブレーキ機能、即ち、昇圧によるブレーキが電力が供給されている場合にのみなされるという欠点がある。電力供給装置の故障、又は、電気制御ユニットの欠陥により、例えば、液圧ブレーキバイワイヤブレーキシステム、これは電子液圧ブレーキ（ＥＨＢ）を意味する、において、適法な状況に合致した昇圧によらないブレーキのみが可能となる（５００Ｎのペダル力により０．３ｇ）。通常、電子素子、特に電力供給装置の故障確率は、従来の機械的なブレーキ要素の故障確立よりも大きく、常用ブレーキの機能の観点から、ブレーキバイワイヤ車両ブレーキシステムの信頼性を従来の車両ブレーキシステムと同程度に高く保持するために、より高度な技術的手段を用いる必要がある。
【０００４】
とりわけ、ドライバーとは関係なく作動可能な、ブレーキブースターに基づく回生ブレーキの使用も、これ、即ち、ＥＨＢに対して常用ブレーキ機能の信頼性を高めることを目的としている。回生ブレーキは、主に、ハイブリッド車両及び電気車両に用いられる。このブレーキを電気モータと内燃機関とを備えるハイブリッド車両に用いるために研究する場合には、内燃機関が駆動ユニットに圧力を供給せず、従って電気駆動ポンプが必要となる作動状態に直面することになる。
【０００５】
特に、純粋な電気車両では、必要な圧力はこのようなポンプのみによって生成されなければならない。従って、常用ブレーキ機能は、また、電気回路システムの信頼性に依存することになる。コスト上の理由から、ブレーキシステムのＥＣＵによる真空ポンプの制御の実行が頻繁に試みられており、これにより、常用ブレーキ機能もブレーキ制御ユニットの信頼性に依存することになる。
【特許文献１】独国特許出願公開第１９９２９８８０Ａ１号明細書
【発明の開示】
【発明が解決しようとする課題】
【０００６】
上述した観点に鑑み、本発明の目的は、特に電子又は電気回路システムのエラー又は故障に関して最大限に高率の冗長度を保持しつつ、常用ブレーキ機能の信頼性を可能な限り高く保持することにある。
【課題を解決するための手段】
【０００７】
この目的は、モータポンプ組体を制御するための制御ユニットが論理モジュールと電力モジュールとを有し、論理モジュールと電力モジュールとは互いに独立して配置されている、ことにおいて達成される。これにより、一方のモジュールのエラーが自動的に他方のモジュールに影響を与え、結果として常用ブレーキの機能が自動的に作動不能となる、ことがなくなる。
【０００８】
２つのモジュールの電力供給の冗長性が、論理モジュールと電力モジュールとは、互いに別々に、車両の電気回路システムに接続されている、ことにおいて達成される。
【０００９】
本発明の好ましい改良形態により、制御ユニットはモータポンプ組体及びブレーキシステムを駆動するために、あるいは、車両のモータを駆動するために設けられており、論理モジュールは制御ユニットに配置されており、電力モジュールは制御ユニットの外部に設けられている、ことが提供される。これにより、モータポンプ組体のための独立した制御ユニットが必要なくなり、追加の素子、フェイルセーフ等のための余分なコストを低減することが可能である。モータポンプ組体を駆動するための論理モジュールは、既に提供されているブレーキシステムの制御ユニットに対して追加の労力なしに集積可能である。他方、電力モジュールは、リレーあるいはＭＯＳＦＥＴのような大きな電気素子を有し、対応する大きな装着スペースを必要とし、好ましくは、モータポンプ組体あるいは車両の他の制御ユニットに設けられる。これに関し、電力モジュールを制御ユニットに集積する場合には、制御ユニットからの熱の発散のための対応する構造手段が必要となるため、電力モジュールの大きな温度上昇がモータポンプ組体の制御ユニット及びブレーキシステム、あるいは、モータの制御ユニットに影響を与えないという利点もある。
【００１０】
独立したハウジングを省略するために、好ましい実施態様では、例えば、リレーが、電力モジュールとして与えられ、車両のリレーボックス内に収容されている。
【００１１】
別の好ましい実施態様に従い、半導体素子、好ましくはＦＥＴが、電力モジュールとして与えられ、車両のリレーボックス内に収容されている。
【００１２】
さらに、本発明の装置を制御するための方法が開示され、この方法の特徴は、モータポンプ組体は制御ユニットの故障時に作動される、ことにある。これにより、ブレーキブースターへの圧力の供給が確保される。これに関し、モータポンプ組体は、好ましくは、制御ユニットが故障した場合に、常閉スイッチによって駆動可能である。
【００１３】
本発明の別の好ましい一実施態様の方法では、モータポンプ組体は、制御ユニットの故障時、ブレーキペダルの移動を検知するためのセンサの作動によって、例えば、ブレーキライトスイッチの作動によって作動可能となり、センサの非作動時には作動不能となり、センサは車両の駆動ユニットの制御装置に接続されている。従って、ドライバーによるブレーキへの要請が認識され、モータポンプ組体を駆動することにより、昇圧によるブレーキ作動のために必要な圧力がブレーキブースター内で利用可能となる。
【００１４】
モータポンプ組体を慎重に扱い、温度の上昇を低減するために、本発明の好ましい一実施態様の方法として、モータポンプ組体は、制御ユニットの故障時、クロック制御方式により作動される。
【００１５】
ブレーキ作動後にもブレーキブースターにおいて必要な圧力を保持するために、本発明の別の好ましい一実施態様では、モータポンプ組体は、ブレーキペダルの移動の検知のためのセンサの作動後、規定の時間だけ作動状態に保持される。
【００１６】
車両が内燃機関と電気モータとを備えるハイブリッド車両である場合には、信号が、好ましくは、制御ユニットのエラーの発生時にモータ制御ユニットに送信され、制御ユニットはモータポンプ組体を駆動し、内燃機関は所定の作動状態をなし、この作動状態では、内燃機関のみにより駆動ユニットへの圧力の供給がなされる。これは、ハイブリッド車両の内燃機関が、ブレーキブースターへの必要な圧力の供給を確保するために、どのような作動状況であっても作動不能とならないことを示している。
【００１７】
車両ブレーキシステムが最適化液圧ブレーキシステム（ＯＨＢ）を有し、最適化液圧ブレーキシステムが、ブレーキブースターの複数のチャンバ間の圧力差に応じた追加のブレーキ昇圧機能を備える液圧増大ユニットを有し、圧力差が真空センサによって検知される場合には、本発明に従い、モータポンプ組体は独立したポンプ制御ユニットと独立したセンサとによって駆動され、独立したセンサは、真空センサに加えて、ブレーキブースターの圧力レベルを検知し、モータポンプ組体は独立したラインによって車両の電気回路システムに接続されている、ことが開示される。これにより、ブレーキシステムとは無関係に、モータポンプ組体の作動が可能となる。しかしながら、素子を削減するために、モータポンプ組体を、独立したセンサによるよりも、真空センサによって駆動することが可能である。
【００１８】
冗長性を確保するために、モータポンプ組体を、リレーあるいはＦＥＴとして与えられている独立した電流供給装置を有する電力モジュールによって駆動することが可能であり、ポンプ制御ユニット及び／あるいはブレーキ制御ユニットはＯＨＢシステムの真空センサの複数の信号を読み出すことが可能である。１つだけの制御ユニットが複数の信号を読み出す場合には、複数の信号は、好ましくは、夫々、バス接続によって他の制御ユニットに送信される。
【００１９】
信号がブレーキ制御ユニットによって読み出される場合には、本発明の好ましい改良形態の方法に従い、モータポンプ組体は、いかなる場合にも圧力供給を確保するために、ブレーキ制御ユニットの故障時に完全に駆動される。
【発明を実施するための最良の形態】
【００２０】
以下、本発明を各実施形態を示す添付した図面を参照して説明する。
【００２１】
図１は、本発明の第１実施形態の、「ブレーキバイワイヤ」タイプの車両ブレーキシステムの駆動ユニットに圧力を供給するための装置の概略的なシステム構成を示す。駆動ユニットは、空気ブレーキブースター１と、これに配置されているマスターブレーキシリンダー２と、を有する。「ブレーキバイワイヤ」タイプの車両ブレーキシステムは、ドライバーの要求に従って、電子制御ユニット（ＥＣＵ）によって、即ち、ドライバーとは無関係に、しかしながらまた、部分的にはブレーキペダル（不図示）によって、駆動可能である（機械的フォールバックモード）。駆動ユニットの主要な構成及び機能は周知であるため、以下では本発明の本質的な特徴のみを説明する。
【００２２】
ブレーキブースター１の内部空間（不図示）は可動壁によって少なくとも２つのチャンバに分割されている。真空ブレーキブースターでは、内部空間は少なくとも１つの真空チャンバと少なくとも１つの作業チャンバに分割されており、一方、過圧ブレーキブースターでは、内部空間は少なくとも１つの高圧チャンバと少なくとも１つの低圧チャンバとに分割されている。マスターブレーキシリンダー２は２つのピストン（不図示）を有し、これらピストンはハウジング内で移動可能で、ハウジングと共同して、各液圧チャンバを規定する。これら圧力チャンバは、非加圧圧力流体タンク４に接続可能であり、また、出口５を介して、車両ブレーキシステムの不図示のホイールブレーキに接続可能である。
【００２３】
空気モータポンプ組体３はポンプ６及びポンプ６を駆動するモータ７を有し、モータ７は例えば電気モータとして形成されている。ブレーキブースター１が真空と過圧とのいずれによって作動されるかに応じて、ポンプ６は真空ポンプあるいは過圧ポンプとして形成される。しかしながら、これは本発明にとって本質的なことではない。従って、以下の説明は、単に、真空チャンバと作業チャンバとを有する真空ブレーキブースター、及び、真空ポンプについてなされる。ブレーキブースターは単一タイプあるいは直列タイプの装置として形成可能である。
【００２４】
ブレーキブースター１に真空を供給するために、真空ポンプ６は、吸引ライン８を介して、ブレーキブースター１の不図示の真空チャンバに接続されている。ブレーキブースター１あるいは真空ポンプ６に配置されているセンサ９は、真空チャンバの真空レベルあるいは真空チャンバと作業チャンバとの間の圧力差を検出し、この検出された圧力は、電気ブレーキ制御ユニット（ブレーキＥＣＵ）１０において演算される。また、本発明に従い、センサ９を吸引ライン８に配置することも可能である。
【００２５】
モータポンプ組体３はブレーキＥＣＵ１０によって直接駆動され、ブレーキＥＣＵ１０を、例えば、電子安定プログラム（ＥＳＰ）を有する制御ブレーキシステムのＥＳＰ制御ユニットとして提供することが可能である。駆動のために、ブレーキＥＣＵ１０は論理モジュール（不図示）と電力モジュール（不図示）とを有し、２つのモジュールは、一方のモジュールでのエラーが他方のモジュールに影響を与えないように、互いに独立している。これは、常用機能即ちブレーキシステムの昇圧によるブレーキがいずれか１つのモジュールにおける欠陥の発生によっては自動的に停止しないことを意味している。さらに電力供給について冗長性を得るために、複数のモジュールは、互いに独立して、車両の電気回路システムに接続されている。
【００２６】
論理モジュールは、主にモータポンプ組体３を駆動するためのソフトウェアを有し、追加の手間をほとんどかけずにブレーキＥＣＵ１０に集積可能である。
【００２７】
電力モジュールは、駆動のためのスイッチユニットを有し、例えばリレーあるいはＭＯＳＦＥＴとして提供可能であり、電気素子のために追加の装着スペースが必要なため、ブレーキＥＣＵ１０の外側に配置されている。さらに、独立した配置により、電力モジュールの大きな温度上昇によってもブレーキＥＣＵ１０がいかなる影響も受けないという追加の効果が得られる。その理由は、ブレーキＥＣＵ１０における追加の温度上昇によって、放熱のための対応する構造手段が必要となることである。電力モジュールは、モータポンプ組体３に、車両の別の制御ユニットに、車両のリレーボックスにおいて、あるいは、ブレーキＥＵＣとモータ７との間に配置可能である。さらに、前述したリレー内の配置により、電力モジュールのための１つのケースを省略することが可能となる。
【００２８】
図１に示されるように、ブレーキＥＣＵ１０は、バスシステムＣＡＮ（コントローラーエリアネットワーク）によって、電子モータ制御ユニット（モータＥＣＵ）１１に接続されている。加えて、ブレーキＥＣＵ１０とモータＥＣＵ１１とは、ＣＡＮを介して、さらに車両の制御ユニットに接続可能である。
【００２９】
図２は、本発明の第２実施形態の、「ブレーキバイワイヤ」タイプの車両ブレーキシステムの駆動ユニットに圧力を供給するための装置の概略的なシステム構成を示す。後者は、独立したポンプＥＣＵ１２がモータポンプ組体３を駆動するために設けられている点でのみ第１実施形態と異なり、ポンプＥＣＵ１２は、センサ９の信号を読み出し、ＣＡＮを介して、ブレーキＥＣＵ１０及びモータＥＣＵ１１に接続されている。これにより、ブレーキＥＣＵ１０によるモータポンプ組体３の追加の駆動が可能となる。論理モジュール及び電力モジュールも互いに独立して設けられており、複数のモジュールへの電流の供給は独立してなされる。この実施形態でも、論理モジュールをポンプＥＣＵ１２に設けることが可能であり、電力モジュールをポンプＥＣＵ１２の外部に、例えば、リレーボックス内に設けることが可能である。
【００３０】
センサ９の信号の読み出しとしては、図３に示される第３実施形態に従い、ブレーキＥＣＵ１０によって、センサ９の信号を読み出し、対応する信号をＣＡＮ接続を介してポンプＥＣＵ１２に供給することも可能である。
【００３１】
上述した全ての実施形態において、モータポンプ組体３は、ブレーキブースター１への圧力の供給を確保するために、駆動制御ユニット１０，１２の故障時に作動可能となる。ここで、モータポンプ組体３は、例えば、制御ユニットが故障した場合に常閉スイッチによって作動可能である。
【００３２】
モータポンプ組体３は、ブレーキペダルの移動を検知するためのセンサ、例えば、ブレーキライトスイッチの作動によって、駆動制御ユニット１０，１２の故障時に作動可能となり、センサの非作動時には作動不能となり、制御ユニット１０，１２とは無関係にモータＥＣＵ１１によってセンサ９からの読み出しが行われる。
【００３３】
慎重な取り扱い及び温度上昇の低減のために、モータポンプ組体３は、制御ユニットの故障時にクロック制御方式により作動可能である。
【００３４】
車両が内燃機関と電気モータ７とを備えるハイブリッド車両である場合には、信号は、制御ユニット（ブレーキＥＣＵ１０あるいは独立したポンプＥＣＵ１２）でのエラーの発生時に、モータＥＣＵ１１に送信され、モータポンプ組体３を駆動し、内燃機関は所定の作動状態をなし、この作動状態では、内燃機関のみによって駆動ユニットへと圧力が供給される。これは、ハイブリッド車両の内燃機関はブレーキブースター１への必要な圧力供給を確保するために、いかなる作動状況であっても作動不能とはならないことを示している。
【００３５】
いわゆる回生ブレーキがハイブリッド車両において省エネのために特に用いられ、車両の回転の運動エネルギーがブレーキ時に電気エネルギーに変換され、知的エネルギー管理（ｉｎｔｅｌｌｉｇｅｎｔ  ｅｎｅｒｇｙ  ｍａｎａｇｅｍｅｎｔ）により一時的に蓄積され、車両が牽引あるいは加速する場合に駆動電車へと導入され、この結果、内燃機関への負荷が軽減される。上述した本発明の実施形態の装置の全ては、ハイブリッド車両で実施することが可能である。
【００３６】
車両ブレーキシステムに、常用ブレーキ機能の信頼性を増大するために最適化液圧ブレーキシステム（ＯＨＢ）が備えられており、最適化液圧ブレーキシステムがブレーキブースターの複数のチャンバ間の圧力差に応じた追加のブレーキ力昇圧機能を備える場合には、圧力差はブレーキブースターに配置されている真空センサによって検知される。圧力増大ユニットは例えばポンプとして与えられており、ポンプはホイールブレーキ回路において圧力を調節する。これにより、ブレーキブースターの最大昇圧点を越えた場合にも昇圧効果を保持することが可能であり、液圧ブレーキ補助機能を提供し、あるいは、ブレーキブースターの故障を補償することが可能である。
【００３７】
モータポンプ組体３は、独立したポンプ制御ユニット並びに図２及び図３に従い説明したセンサ９によって駆動可能であり、このセンサ９は、ＯＨＢシステムの真空センサに加えて、ブレーキブースターの圧力レベルを検知する。モータポンプ組体３は、独立したラインにより、車両の電気回路システムに接続されており、ブレーキシステムとは無関係なモータポンプ組体３の作動を可能とする。
【００３８】
しかしながら、素子を削減するために、モータポンプ組体３を独立したセンサ９よりもむしろ真空センサによって駆動することが可能である。冗長性を確保するために、真空センサはリレーとして与えられている独立した電流供給装置を有する電力モジュールによって駆動可能であり、複数の信号はポンプＥＣＵ１２及びブレーキＥＣＵ１０によって読み出し可能である。一方の制御ユニットのみによって信号が読み出される場合には、複数の信号は、夫々、ＣＡＮ接続によって他方の制御ユニットに供給される。
【００３９】
信号がブレーキＥＣＵ１０によって読み出される場合には、いかなる場合にも圧力の供給を確保するために、モータポンプ組体３がブレーキＥＣＵ１０の故障時に完全に駆動されることが適切である。
【図面の簡単な説明】
【００４０】
【図１】本発明の第１の実施形態の装置の概略的なシステム構成を示す。
【図２】本発明の第２の実施形態の装置の概略的なシステム構成を示す。
【図３】本発明の第３の実施形態の装置の概略的なシステム構成を示す。
【符号の説明】
【００４１】
１…ブレーキブースター、２…マスターシリンダー、３…モータポンプ組体、４…圧力流体タンク、５…出口、６…ポンプ、７…モータ、８…吸引ライン、９…センサ、１０…ブレーキ制御ユニット、１１…モータ制御ユニット、１２…ポンプ制御ユニット。
【図１】
2008509035.tif 000003
【図２】
2008509035.tif 000004
【図３】
2008509035.tif 000005
【国際調査報告】
2008509035.tif 000006
2008509035.tif 000007
2008509035.tif 000008
2008509035.tif 000009